(57)【要約】【課題】本発明は、岸壁や防波堤、欄干、ブロック等の構造物に着脱自在に締め付け固定される釣竿支持台を提供することを目的とする。【解決手段】本発明の釣竿支持台は、岸壁や防波堤、欄干、ブロック等の構造物１に着脱自在に締め付け固定される竿受け取付台２と、該竿受け取付台２の上面に着脱自在に立設され、伸縮自在な構造を有する竿受け本体３と、該竿受け本体３の上部左右方向に水平に延びる折り畳み自在な竿受け棒４と、前記竿受け本体３の上部を中心に垂直状態から水平状態に旋回可能な餌置き台５とからなる。【選択図】　図１
2004073036.tif 000002
【特許請求の範囲】
【請求項１】
岸壁や防波堤、欄干、ブロック等の構造物に着脱自在に締め付け固定される竿受け取付台と、該竿受け取付台の上面に着脱自在に立設され、伸縮自在な構造を有する竿受け本体と、該竿受け本体の上部左右方向に水平に延びる折り畳み自在な竿受け棒と、前記竿受け本体の上部を中心に垂直状態から水平状態に旋回可能な餌置き台とからなる釣竿支持台において、前記竿受け取付台は、上方に突出する短円柱状のツボを設けた長方形の取付板と、該取付板の長手方向の一端部に垂下し、前記取付板の固定ロッドを支点にして内側に回動自在とし、噛合板を有する固定側挟持板と、前記取付板の長手方向の他端部に、前記取付板の長手方向両側に沿って延長して並列形成した２本のガイドロッドに嵌合垂下し、前記ガイドロッドに沿って摺動自在とし、締付ボルトを有する可動側挟持盤を設けてなることを特徴とする釣竿支持台。
【請求項２】
前記竿受け本体は、伸縮可能な２重円筒体からなり、前記竿受け本体の上部には、竿受け支持ブロックを固定し、該竿受け支持ブロックに垂直下面から水平方向にほぼ９０度の角度で細帯状の開口部を設け、前記竿受け支持ブロック内に前記開口部と直交する方向に回転軸部材を固定し、該回転軸部材に竿受け棒を自転可能に固定すると共に、該竿受け棒を垂下状態から水平状態に前記開口部から突出させて回転自在に前記回転軸部材に固定し、さらに、前記餌置き台は、先端に餌台本体を設けた支持棒を短筒体にスライド自在に嵌合し、該支持棒は前記短筒体に螺合した固定ネジの締め付けにより固定保持され、前記固定ネジを緩めることにより前記支持棒を前記短筒体に沿ってスライド摺動させることができ、また前記短筒体を固定した餌台支持ブロックに支持軸を突設し、該支持軸を前記竿受け支持ブロックに前記竿受け棒の回転面と平行に回転するように軸支し、前記餌台本体は、前記支持棒の先端にＸ字状にリンク板を設け、基端部側のリンク板に作動リンクを連結し、さらに該作動リンクをスライドブロックに連結して該スライドブロックを前記支持棒に沿ってスライドさせることにより、前記リンク板をパンタグラフ式に拡開及び閉鎖させることを特徴とする請求項１記載の釣竿支持台。
【発明の詳細な説明】
【０００１】
【発明の属する技術分野】
本発明は、岸壁や防波堤、欄干、ブロック等の構造物に着脱自在に締め付け固定される釣竿支持台に関する。
【０００２】
【従来の技術】
従来、磯釣りなどで釣竿の多数を岸壁などへ簡便且つ安全に取り付けて、魚釣りを効率よく行うための釣竿用架台は、登録実用新案第３０５４４９８号により公知となっている。
上記公知技術は、前後一対の縦桿と、横桿でＨ形状を形成し、縦桿上端には釣竿を係止するための係止具を取付け、また縦桿下端には岸壁や防波堤、欄干、ブロック或いはアイスボックスや腰掛け台などへ挟持状態に取付しめる固定具を備えた構造とし、その際、横桿を内筒と外筒の二重筒となし、適宜スライドさせて固定可能とすることにより前後の縦桿距離が変えられるようにしたり、また前部及び又は後部縦桿を内筒と外筒の二重筒となし、適宜スライドさせて固定可能とすることにより高さ寸法が変えられるようにしたものである。
【０００３】
【発明が解決しようとする課題】
本発明は、前記公知技術を改良し、岸壁や防波堤、欄干、ブロック等の構造物に着脱自在に締め付け固定される釣竿支持台を提供することを目的とする。
【０００４】
【課題を解決するための手段】
そのために、本発明の釣竿支持台は、岸壁や防波堤、欄干、ブロック等の構造物に着脱自在に締め付け固定される竿受け取付台と、該竿受け取付台の上面に着脱自在に立設され、伸縮自在な構造を有する竿受け本体と、該竿受け本体の上部左右方向に水平に延びる折り畳み自在な竿受け棒と、前記竿受け本体の上部を中心に垂直状態から水平状態に旋回可能な餌置き台とからなる釣竿支持台において、前記竿受け取付台は、上方に突出する短円柱状のツボを設けた長方形の取付板と、該取付板の長手方向の一端部に垂下し、前記取付板の固定ロッドを支点にして内側に回動自在とし、噛合板を有する固定側挟持板と、前記取付板の長手方向の他端部に、前記取付板の長手方向両側に沿って延長して並列形成した２本のガイドロッドに嵌合垂下し、前記ガイドロッドに沿って摺動自在とし、締付ボルトを有する可動側挟持盤を設けてなるものである。
また、前記竿受け本体は、伸縮可能な２重円筒体からなり、前記竿受け本体の上部には、竿受け支持ブロックを固定し、該竿受け支持ブロックに垂直下面から水平方向にほぼ９０度の角度で細帯状の開口部を設け、前記竿受け支持ブロック内に前記開口部と直交する方向に回転軸部材を固定し、該回転軸部材に竿受け棒を自転可能に固定すると共に、該竿受け棒を垂下状態から水平状態に前記開口部から突出させて回転自在に前記回転軸部材に固定し、さらに、前記餌置き台は、先端に餌台本体を設けた支持棒を短筒体にスライド自在に嵌合し、該支持棒は前記短筒体に螺合した固定ネジの締め付けにより固定保持され、前記固定ネジを緩めることにより前記支持棒を前記短筒体に沿ってスライド摺動させることができ、また前記短筒体を固定した餌台支持ブロックに支持軸を突設し、該支持軸を前記竿受け支持ブロックに前記竿受け棒の回転面と平行に回転するように軸支し、前記餌台本体は、前記支持棒の先端にＸ字状にリンク板を設け、基端部側のリンク板に作動リンクを連結し、さらに該作動リンクをスライドブロックに連結して該スライドブロックを前記支持棒に沿ってスライドさせることにより、前記リンク板をパンタグラフ式に拡開及び閉鎖させるものである。
【０００５】
【実施例】
以下、本発明の一実施例を図面に基づいて説明する。
本発明の釣竿支持台は、図１に示すように、岸壁や防波堤、欄干、ブロック等の構造物１に着脱自在に締め付け固定される竿受け取付台２と、該竿受け取付台２の上面に着脱自在に立設され、伸縮自在な構造を有する竿受け本体３と、該竿受け本体３の上部左右方向に水平に延びる折り畳み自在な竿受け棒４と、前記竿受け本体３の上部を中心に垂直状態から水平状態に旋回可能な餌置き台５とからなる。
【０００６】
前記竿受け取付台２は、図１に示すように、上方に突出する短円柱状のツボ６を設けた長方形の取付板７と、該取付板７の長手方向の一端部に垂下し、後述の固定ロッド（図示せず）を支点にして内側に回動自在とした固定側挟持板８と、前記取付板７の長手方向の他端部に、前記取付板７の長手方向両側に沿って延長して並列形成した２本のガイドロッド９に嵌合垂下し、前記ガイドロッド９に沿って摺動自在とした可動側挟持盤１０とからなる。
【０００７】
前記取付板７は、図２に示すように、長手方向両側を断面コ字状に折り曲げて折曲部１１を形成し、該折曲部１１に前記ガイドロッド９を沿わせて、図３に示すように並列配置のガイドロッド９、９間に円筒スペーサ１２を配置し、前記ガイドロッド９を前記折曲部１１と前記円筒スペーサ１２で挟み、前記折曲部１１、ガイドロッド９、円筒スペーサ１２を貫通する固定ロッド（図示せず）により折曲部１１外側から締付ネジ１３で固定することにより、前記ガイドロッド９を所定間隔に固定する。
前記ガイドロッド９の固定個所は、図２に示すように前記取付板７の前後２個所を固定する。
【０００８】
前記固定側挟持板８は、図４に示すように、断面コ字状をなし、開放側を内向きして前記ガイドロッド９の当接個所上端面に長穴１４を形成し、左右の側壁１５を前記取付板７後端の固定ロッド（図示せず）に回動自在に取付され、図２に示すように下端側の側壁１５の内側には直線状端部に歯部１６を有する半円状の噛合板１７を設け、噛合板１７、１７間に図３に示す円筒スペーサ１２を配置し、側壁１５、噛合板１７、円筒スペーサ１２を貫通する固定ロッド（図示せず）に締付ネジ１３で固定することにより、噛合板１７が固定ロッド（図示せず）を支点にして回動自在に側壁１５に枢支される。
【０００９】
一方、前記可動側挟持盤１０は、図２、図３に示すように、前記取付板７の下面に長手方向に沿って固定されたガイドロッド９に沿って移動する２本の細長可動ブロック１９からなり、前記可動ブロック１９の上部に前記ガイドロッド９に嵌合する穴２０を形成し、下端部に締付ボルト２１を螺合するネジ孔２２を形成する。
前記可動ブロック１９の上端面には、ネジ１８によってネジ止めされた逆Ｌ字状のストッパー板２３に前記ガイドロッド９を挿通する挿通孔２４を形成し、前記ガイドロッド９に嵌挿させたスプリング２５を前記可動ブロック１９の穴２０とストッパー板２３の挿通孔２４との間に配置する。
なお、前記ガイドロッド９の取付板７より突出した部分には、図２に示すように螺旋ネジ溝等の凹凸を形成して前記ストッパー板２３の貫通孔２４が係合できるようにする。
したがって、手で前記ストッパー板２３と前記可動ブロック１９とを握り、前記ストッパー板２３の下端をスプリング２５に逆らって可動ブロック１９側に押し込むと、スプリング２５により押し広げられて前記ガイドロッド９に係止されていた前記ストッパー板２３と前記可動ブロック１９とは、貫通孔２４と穴２０とが前記ガイドロッド９から離脱し、前記ガイドロッド９に沿って前記可動ブロック１９及びストッパー板２３を自由に移動させることができる。
また、前記可動ブロック１９の下部には、前記ネジ孔２２に螺合する締付ボルト２１を設けており、該締付ボルト２１の先端に表面をゴム等の弾性材で覆った挟持円盤２６を有し、前記締付ボルト２１の他端には手で回転動作を行う回転ツマミ２７を固定する。
【００１０】
前記竿受け本体３は、図１に示すように、大径の外筒２８に小径の内筒２９を摺動自在に嵌挿した伸縮可能な２重円筒体からなり、前記竿受け本体３の下端開口部は前記竿受け取付台２のツボ６に嵌合する直径に形成し、嵌合後に固定ネジ３０を締めることにより前記竿受け取付台２に竿受け本体３を固定することができる。
なお、大径の外筒２８と小径の内筒２９の伸縮状態を固定するために適宜のストッパー３１を設ける。
前記竿受け本体３の上部には、竿受け支持ブロック３２を固定し、図５、図６に示すように、該竿受け支持ブロック３２に垂直下面から水平方向にほぼ９０度の角度で水平位置に円孔４７を有する細帯状の開口部３３を設け、前記竿受け支持ブロック３２内に前記開口部３３と直交する方向に回転軸部材３４を固定し、該回転軸部材３４に前記竿受け棒４を軸回転可能に固定すると共に、該竿受け棒４を垂下状態から水平状態に前記開口部３３から突出させて回転自在に設け、前記外筒２８と直交する左右方向に拡げることができる。
なお、前記竿受け棒４の開口部３３外側となる位置には、常時開口部３３方向にスプリング２５により弾機される前記開口部３３より大径の鍔付き筒状ストッパー３５を設け、水平状態にした時に、前記鍔付き筒状ストッパー３５の筒部４９が開口部３３の円孔４７内に挿入され、鍔３６が円孔４７縁部に係止されて竿受け棒４が図１の左側に示すように水平に固定されるようになっており、垂下状態に戻す時には、鍔付き筒状ストッパー３５を開口部３３の円孔４７からスプリング２５に逆らって図６の矢印方向に引き戻し、筒部４９が開口部３３外側に出た状態でさらに矢印で示すように外筒２８方向に折り畳むことにより竿受け棒４を垂下状態にすることができる。
【００１１】
また、前記竿受け棒４は、図１に示すように金属棒材を折り曲げ加工して少なくとも２個所に凹部を形成し、該凹部に釣竿（図示せず）を立て掛け係止する構造とし、前記竿受け本体３の上部左右両方に設け、図１では右側の竿受け棒４を一点鎖線の水平状態から垂下状態に折り畳んでいるが折り畳み自在の構造は前述と同様に形成される。
【００１２】
さらに、前記餌置き台５は、図７に示すように、先端に餌台本体４６を設けた支持棒３９を短筒体３７にスライド自在に嵌合し、該短筒体３７を固定した餌台支持ブロック３８に支持軸４０を突設し、該支持軸４０を図５に示すように前記竿受け支持ブロック３２に前記竿受け棒４の回転面と平行に回転するように軸支し、前記支持軸４０を前記竿受け支持ブロック３２に蝶ナット４１で固定する。前記支持棒３９は、前記短筒体３７に螺合した固定ネジ３０の締め付けにより固定保持され、前記固定ネジ３０を緩めることにより前記支持棒３９を前記短筒体３７に沿って矢印方向にスライド摺動させることができる。
また、前記餌台本体４６は、図１に示すように前記支持棒３９の先端にＸ字状にリンク板４３を設け、基端部側のリンク板４３に作動リンク４４を連結し、さらに該作動リンク４４をスライドブロック４５に連結して該スライドブロック４５をスライドさせることにより、前記リンク板４３をパンタグラフ式に拡開及び閉鎖させることができる。
なお、前記リンク板４３の先端には、餌容器を載せるための脱落防止用突起４８を形成する。
また、前記餌台本体４６の反対側の支持棒３９には、図５、図７に示すように抜けを防止するために前記支持棒３９より大径の基端部４２を設ける。
【００１３】
次に、本発明の釣竿支持台の使用操作を図面に基づいて説明する。
まず最初に、図２に示すように単独で竿受け取付台２のみを岸壁や防波堤、欄干、ブロック等の構造物１に固定する。
前記竿受け取付台２の前記構造物１への取り付けは、固定側挟持板８を取付板７と直角になるように固定ロッド（図示せず）を支点にして折り畳まれている状態から起立状態に旋回させる（図２に示す状態）。
そして、固定側挟持板８の噛合板１７を前記構造物１に沿わせ、噛合板１７の歯部１６の接触面積が多くなるように噛合板１７の円弧面に沿って噛合板１７を揺動調節し、前記構造物１上に取付板７を載置する。
【００１４】
一方、反対側の可動側挟持盤１０は、片手でストッパー板２３と前記可動ブロック１９とを握り、前記ストッパー板２３の下端をスプリング２５に逆らって可動ブロック１９側に押し込むと、貫通孔２４と穴２０とが前記ガイドロッド９から離脱し、前記ガイドロッド９に沿って前記可動ブロック１９及びストッパー板２３を自由に移動させることができる。
それによって、前記可動ブロック１９を前記構造物１に挟持円盤２６が当たる接近位置に移動させ、手を離すと前記可動ブロック１９及びストッパー板２３がスプリング２５により押し広げられ、前記貫通孔２４と前記穴２０とが前記ガイドロッド９に係止されるので、前記可動ブロック１９が固定される。
前記可動ブロック１９は２基あるので、片方も同様に前記可動ブロック１９を前記構造物１との接近位置に移動させ、前記可動ブロック１９を固定させる。
そして、前記構造物１に挟持円盤２６を当てた状態で回転ツマミ２７を締め付け方向に回転すると、ネジ孔２２に螺合している締付ボルト２１が前記構造物１方向へ移動して前記噛合板１７と挟持円盤２６とで前記構造物１を挟みつけて、前記竿受け取付台２を前記構造物１に固定する。
【００１５】
次に、図１に示すように、前記構造物１に固定されている竿受け取付台２のツボ６に竿受け本体３の内筒２９下端を嵌合させる。
その際には、竿受け棒４の水平方向を考慮して竿受け本体３を軸回転させて前記竿受け棒４と竿受け取付台２との取付角度を調整し、固定ネジ３０を締め付けて前記竿受け本体３を竿受け取付台２に立設する。
なお、前記竿受け本体３の長さ調節は、ストッパー３１を緩めて内筒２９から外筒２８を引き出したり、収納したりすることにより行うことができる。
そして、図１の右側に示す竿受け本体３と重なり状態の竿受け棒４、すなわち垂下状態の竿受け棒４を矢印に示すように上方に引き上げて一点鎖線で示すように水平に保持させる。
前記竿受け棒４は、図５に示す位置から竿受け支持ブロック３２の開口部３３縁に沿って上方に引き上げられ、図６に示す位置で鍔付き筒状ストッパー３５の筒部４９が円孔４７に合致するので、スプリング２５の作用により鍔３６が円孔４７縁部に当接する位置まで、すなわち竿受け支持ブロック３２内に前記鍔付き筒状ストッパー３５が完全に挿入嵌合される位置まで前記竿受け棒４が挿入嵌合され、水平に保持される。
また、餌置き台５は、図５に示すように餌台支持ブロック３８の支持軸４０に螺合されている竿受け支持ブロック３２の蝶ナット４１を緩めて、前記餌台支持ブロック３８、すなわち支持棒３９を図１に示す垂下位置から水平位置まで旋回させ、所定位置で蝶ナット４１を締め付けて前記餌台支持ブロック３８を竿受け支持ブロック３２に固定し、前記支持棒３９を所定位置に固定する。
【００１６】
そして、前記餌台支持ブロック３８の短筒体３７の固定ネジ３０を緩めて、支持棒３９を図５、図７に矢印で示すようにスライドさせて長さ調節し、前記支持棒３９先端の餌台本体４６の向きが悪ければ支持棒３９を軸回転させて前記餌台本体４６の向きを調節する。
また、前記餌台本体４６は、図７に示すように、スライドブロック４５を支持棒３９に沿って移動させることにより、Ｘ字状のリンク板４３が矢印で示すように開閉されるので、餌容器の大きさに合わせて調節すればよい。
このようにして、図１に示すように前記構造物１に竿受け取付台２を固定し、該竿受け取付台２の上面に竿受け本体３を立設し、竿受け棒４及び餌置き台５を水平状態に組み立てた後、前記竿受け棒４の凹部３６に釣竿（図示せず）を立て掛けて釣りを行うことができる。
【００１７】
さらに、本発明の釣竿支持台は、竿受け取付台２と竿受け本体３とに分離できるので、前記竿受け取付台２を利用して、図８に示すように、上述と同様の操作により前記構造物１を固定側挟持板８と可動側挟持盤１０とで挟み、前記固定側挟持板８の噛合板１７と前記可動側挟持盤１０の締付ボルト２１により挟圧して固定する。
そして、前記竿受け取付台２のツボ６に嵌合する円筒状の支持筒５１と、該支持筒５１の上部に形成した凹溝（図示せず）に嵌合する円弧状支持体５２と、該円弧状支持体５２の一方端に釣竿を載せるＵ字状の竿載せ台５３と、他方端に釣竿の持ち上がりを防止する逆Ｕ字状の竿押さえ５４とからなる釣竿支え５５を設ける。
前記構造物１に竿受け取付台２を固定した後、該竿受け取付台２の上面に釣竿支え５５を立設する。
なお、前記支持筒５１の上面には締め付け固定する固定ツマミ５６を設け、該固定ツマミ５６を緩めることにより前記円弧状支持体５２が支持筒５１に形成した凹溝（図示せず）に沿って移動し、釣竿５７を図８に示す向きや逆向きに支持することが出来る。
【００１８】
また、本発明の釣竿支持台は、竿受け取付台２と竿受け本体３とに分離できるので、前記竿受け本体３を利用して、図９に示すように前記竿受け本体３の内筒２８下端に突き立て棒５８を嵌合し、固定ネジ３０を締め付けて竿受け本体３に突き立て棒５８を一体に連結することができる。
なお、前記突き立て棒５８は、地面に突き刺すことができるように先端を鋭角に尖らせており、金属棒材から構成される。
したがって、地面に突き立て棒５８を突き刺した後は、前述のように、図９の右側に示す垂下状態の竿受け棒４を矢印に示すように上方に引き上げて一点鎖線で示すように水平に左右の竿受け棒４を保持する。
【００１９】
また、餌置き台５は、図５に示すように餌台支持ブロック３８の支持軸４０に螺合されている竿受け支持ブロック３２の蝶ナット４１を緩めて、前記餌台支持ブロック３８、すなわち支持棒３９を図９に示す垂下位置から水平位置まで旋回させ、所定位置で蝶ナット４１を締め付けて前記餌台支持ブロック３８を竿受け支持ブロック３２に固定し、前記支持棒３９を所定位置に固定する。
そして、前記餌台支持ブロック３８の短筒体３７の固定ネジ３０を緩めて、支持棒３９を図５に矢印で示すようにスライドさせて長さ調節し、前記支持棒３９先端の餌台本体４６の向きが悪ければ支持棒３９を軸回転させて前記餌台本体４６の向きを調節する。
また、前記餌台本体４６は、図９に示すようにスライドブロック４５を支持棒３９に沿って移動させることにより、Ｘ字状のリンク板４３が矢印で示すように開閉されるので、餌容器の大きさに合わせて調節すればよい。
なお、図１、図９に示す結束バンド５０は、携帯時に竿受け棒４及び餌置き台５を束ねるための結束具である。
【００２０】
次に、本発明の釣竿支持台のその他の実施例について、図面に基づいて以下に述べる。
取付板７とガイドロッド９との固定手段の他の実施例について、
取付板７の裏面には、図１０に示すように、長手方向両側を断面コ字状に折り曲げて折曲部１１を形成し、さらに前記折曲部１１の端部を閉塞する端部壁５９と該端部壁５９から内側に一定距離隔てた仕切壁６０を前記折曲部１１間に連結する。
そして、前記端部壁５９と仕切壁６０との左右両側にガイドロッド９が貫通する孔（図示せず）を設けると共に、該孔（図示せず）間を連結する支持筒６１を設け、該支持筒６１中に前記ガイドロッド９を貫通支持させる。
前記ガイドロッド９の右端には、前記孔（図示せず）より大径のビス６２を固定し、前記ガイドロッド９が前記支持筒６１から抜け出ないようにする。
一方、前記ガイドロッド９の左端には、前記ガイドロッド９、９間に連結枠６３を固定し、前記ガイドロッド９、９を前記取付版７に並列に等間隔で固定する。
したがって、本発明の釣竿支持台を収納する時には、一点鎖線で示すように前記取付版７の内側にガイドロッド９を収納することができる。
【００２１】
次に、本発明の釣竿支持台を船縁に固定するための他の実施例について、
図１１に示すように、本実施例を採用した上記取付板７とガイドロッド９との竿受け取付台２において、さらに固定側挟持板８の中央にツボ６を立設する。
前記固定側挟持板８のツボ６の固定手段は、雌ネジが形成されたツボ６にボルト６４を螺合することによって行う。
なお、取付板７のツボ６も同様の構成とすることができる。
その他の構成は、前述のとおりであって、図１１のＡ−Ａ矢視図は、図１０に示す。
本発明の釣竿支持台を持ち運ぶ時には、図１２に示すように、ガイドロッド９を取付板７の裏面に一点鎖線で示すように収納し、固定側挟持板８を実線で示すように取付版７側に折り畳んだ状態で収納することができる。
【００２２】
【効果】
以上述べた如く、本発明の釣竿支持台によれば、竿受け取付台は、上方に突出する短円柱状のツボを設けた長方形の取付板と、該取付板の長手方向の一端に垂下し、前記取付板の固定ロッドを支点にして内側に回動自在とした噛合板を有する固定側挟持板と、前記取付板の長手方向両側に沿って延長して他端から並列形成した２本のガイドロッドに嵌合垂下し、前記ガイドロッドに沿って摺動自在とし、締付ボルトを有する可動側挟持盤とからなるので、岸壁や防波堤、欄干、ブロック等の構造物に着脱自在に締め付け固定され、より簡単な構造で効率よく構造物に取付することができる。
また、竿受け取付台や竿受け本体は別々に分離できると共に、固定側挟持板や竿受け棒及び餌置き台を折り畳み自在にしているので、場所を取らずにコンパクトに持ち運びができる。
【図面の簡単な説明】
【図１】本発明の釣竿支持台の正面図である。
【図２】本発明の竿受け取付台の拡大正面図である。
【図３】本発明の竿受け取付台の右側面図である。
【図４】本発明の竿受け取付台の左側面図である。
【図５】本発明の竿受け支持ブロックの一部省略断面図である。
【図６】本発明の餌置き台の一部断面図である。
【図７】本発明の竿受け支持ブロックの一部省略側面図である。
【図８】本発明の竿受け取付台に釣竿支えを取り付けた状態の正面図である。
【図９】本発明の竿受け本体に突き立て棒を取り付けた状態の正面図である。
【図１０】本発明の他の実施例の取付板の裏面図であって、図１１のＡ−Ａ矢視図である。
【図１１】本発明の他の実施例の竿受け取付台を船縁に取付ける場合の正面図である。
【図１２】本発明の他の実施例の竿受け取付台を折畳んだ状態の正面図である。
【符号の説明】
１　構造物
２　竿受け取付台
３　竿受け本体
４　竿受け棒
５　餌置き台
６　ツボ
７　取付板
８　固定側挟持板
９　ガイドロッド
１０　可動側挟持盤
１１　折曲部
１２　円筒スペーサ
１３　締付ネジ
１４　長穴
１５　側壁
１６　歯部
１７　噛合板
１８　ネジ
１９　可動ブロック
２０　穴
２１　締付ボルト
２２　ネジ孔
２３　ストッパー板
２４　挿通孔
２５　スプリング
２６　挟持円盤
２７　回転ツマミ
２８　外筒
２９　内筒
３０　固定ネジ
３１　ストッパー
３２　竿受け支持ブロック
３３　開口部
３４　回転軸部材
３５　鍔付き筒状ストッパー
３６　鍔
３７　短筒体
３８　餌台支持ブロック
３９　支持棒
４０　支持軸
４１　蝶ナット
４２　基端部
４３　リンク板
４４　作動リンク
４５　スライドブロック
４６　餌台本体
４７　円孔
４８　突起
４９　筒部
５０　結束バンド
５１　支持筒
５２　円弧状支持体
５３　竿載せ台
５４　竿押さえ
５５　釣竿支え
５６　固定ツマミ
５７　釣竿
５８　突き立て棒
５９　端部壁
６０　仕切壁
６１　支持筒
６２　ビス
６３　連結枠
６４　ボルト
【図１】
2004073036.tif 000003
【図２】
2004073036.tif 000004
【図３】
2004073036.tif 000005
【図４】
2004073036.tif 000006
【図５】
2004073036.tif 000007
【図６】
2004073036.tif 000008
【図７】
2004073036.tif 000009
【図８】
2004073036.tif 000010
【図９】
2004073036.tif 000011
【図１０】
2004073036.tif 000012
【図１１】
2004073036.tif 000013
【図１２】
2004073036.tif 000014